(57)【要約】      （修正有）【課題】鍵溝判別器に係り、鍵屋がエンドユーザから持ち込まれた鍵から合鍵を作成する際に、在庫している商品から同一の鍵を容易に判別することのできる鍵溝判別器を提供する。【解決手段】一枚の交換可能な半田プレート１と、前記半田プレートの外形形状に沿った半田プレート収納用の凹部５が上面に形成され、該凹部の中央に鍵挿入孔が形成された基台３と、前記基台の上面に配置され、前記鍵挿入孔に対応して鍵挿入孔が形成された半田プレート保持用の保持プレート１５とからなり、前記保持プレートの鍵挿入孔から前記凹部に収納された半田プレート、基台の鍵挿入孔１１に鍵を挿通させて、半田プレートに該鍵の鍵溝穴を設けて構成する。【選択図】図１
0003150197.tif 000002
【実用新案登録請求の範囲】
【請求項１】
一枚の交換可能な半田プレートと、
前記半田プレートの外形形状に沿った半田プレート収納用の凹部が上面に形成され、該凹部の中央に鍵挿入孔が形成された基台と、
前記基台の上面に配置され、前記鍵挿入孔に対応して鍵挿入孔が形成された半田プレート保持用の保持プレートとからなり、
前記保持プレートの鍵挿入孔から前記凹部に収納された半田プレート，基台の鍵挿入孔に鍵を挿通させて、半田プレートに該鍵の鍵溝穴を設けることを特徴とする鍵溝判別器。
【請求項２】
前記保持プレートと基台の鍵挿入孔は、同方向へ平面視スリット状に形成されていることを特徴とする請求項１に記載の鍵溝判別器。
【請求項３】
前記基台の上面に、鍵挿入孔を挟んで一対の位置決めピンが突設され、前記保持プレートに、該位置決めピンに対応してピン挿通孔が形成されていることを特徴とする請求項１または請求項２に記載の鍵溝判別器。
【請求項４】
前記保持プレートの上面にテーパ状の凹部が形成され、該凹部の中央に前記鍵挿入孔が形成されていることを特徴とする請求項１乃至請求項３のいずれか１項に記載の鍵溝判別器。
【請求項５】
前記基台の上面に、前記凹部に連通する切欠きが設けられていることを特徴とする請求項１乃至請求項３のいずれか１項に記載の鍵溝判別器。
【考案の詳細な説明】
【技術分野】
【０００１】
本考案は、合鍵を作成する際に使用する鍵溝判別器に関する。
【背景技術】
【０００２】
従来、エンドユーザが合鍵の作成を鍵屋に依頼する場合、作成する鍵を店頭に持ち込み、鍵屋はその鍵を目視にて在庫している商品に同一の物があるかを判断して合鍵を作成している。
【０００３】
この場合、鍵屋は、持ち込まれた鍵の頭の形や鍵溝の雰囲気から同一の鍵を選び出しているが、この判別には熟練を要している。
【０００４】
また、多くの鍵屋の店頭には、非特許文献１に開示されるような鍵のカタログが備えられている。このカタログには、鍵メーカの鍵の表裏の写真とその品番や鍵の板厚，鍵溝（キーウェー）の断面形状等が記載されており、鍵屋はこのカタログを基に持ち込まれた鍵を一つ一つ照らし合わせて同一の鍵を選び出している。
【考案の概要】
【考案が解決しようとする課題】
【０００５】
しかし、例えば持ち込まれる鍵にはエンドユーザが作った合鍵もあり、このような鍵には鍵メーカの表示もなければ品番の表示もない。
【０００６】
従って、この場合、持ち込まれた鍵の鍵溝の雰囲気から、カタログに記載された鍵溝の断面形状を一つ一つ照らし合わせていくこととなるが、鍵には鍵溝のパターンが逆のものもあれば断面で見ると微妙に鍵溝のパターンが違っているもの、更には鍵の板厚や幅寸法が異なるものもあり、在庫している商品の中から同一の鍵を選び出す作業は容易でなく、非常に手間のかかる作業となっている。
【０００７】
本考案は斯かる実情に鑑み案出されたもので、鍵屋がエンドユーザから持ち込まれた鍵から合鍵を作成する際に、在庫している商品から同一の鍵を容易に判別することのできる鍵溝判別器を提供することを目的とする。
【課題を解決するための手段】
【０００８】
斯かる目的を達成するため、請求項１に係る鍵溝判別器は、一枚の交換可能な半田プレートと、前記半田プレートの外形形状に沿った半田プレート収納用の凹部が上面に形成され、該凹部の中央に鍵挿入孔が形成された基台と、前記基台の上面に配置され、前記鍵挿入孔に対応して鍵挿入孔が形成された半田プレート保持用の保持プレートとからなり、前記保持プレートの鍵挿入孔から前記凹部に収納された半田プレート，基台の鍵挿入孔に鍵を挿通させて、半田プレートに該鍵の鍵溝穴を設けることを特徴とする。
【０００９】
そして、請求項２に係る考案は、請求項１に記載の鍵溝判別器に於て、前記保持プレートと基台の鍵挿入孔は、同方向へ平面視スリット状に形成されていることを特徴とし、請求項３に係る考案は、請求項１または請求項２に記載の鍵溝判別器に於て、前記基台の上面に、鍵挿入孔を挟んで一対の位置決めピンが突設され、前記保持プレートに、該位置決めピンに対応してピン挿通孔が形成されていることを特徴とする。
【００１０】
更に、請求項４に係る考案は、請求項１乃至請求項３のいずれか１項に記載の鍵溝判別器に於て、前記保持プレートの上面にテーパ状の凹部が形成され、該凹部の中央に前記鍵挿入孔が形成されていることを特徴とし、請求項５に係る考案は、請求項１乃至請求項３のいずれか１項に記載の鍵溝判別器に於て、前記基台の上面に、前記凹部に連通する切欠きが設けられていることを特徴とする。
【考案の効果】
【００１１】
請求項１に係る鍵溝判別器によれば、合鍵の作成に当たり、持ち込まれた鍵に鍵メーカの表示や品番の表示がなくても、また、鍵溝のパターンが逆のものであったり微妙に鍵溝のパターンが違っていても、持ち込まれた鍵の鍵溝穴を半田プレートに形成することで、熟練者でなくても在庫している店頭の商品から同一の鍵を極めて容易に選別することができ、カタログに記載された鍵溝の断面形状を一つ一つ照らし合わせていく面倒な作業も必要ない。
【００１２】
また、請求項２に係る考案によれば、基台と保持プレートの鍵挿入孔はスリット状に形成されているため、鍵を鍵挿入孔へ挿入した際に、鍵が回転することがなく真っ直ぐに挿入でき、保持プレートに不良な鍵溝穴が形成されてしまうことがない。
【００１３】
同様に請求項３に係る考案によれば、保持プレートによって半田プレートが確実に位置決め保持され、保持プレートが位置決めピンとピン挿通孔とによって確実に位置決め保持されているため、鍵が貫通する際に半田プレートが横方向及び上下方向にブレることがなく、保持プレートに不良な鍵溝穴が形成されてしまうことがない。
【００１４】
そして、請求項４に係る考案によれば、保持プレートの凹部をテーパ状に形成することで凹部内の鍵挿入孔に鍵が挿入し易く、請求項５に係る考案によれば、基台の上面に凹部に連通する切欠きを設けたことで、鍵溝穴が形成された凹部内の半田プレートの取り外しが容易にできる利点を有する。
【図面の簡単な説明】
【００１５】
【図１】請求項１乃至請求項５の一実施形態に係る鍵溝判別器の分解斜視図である。
【図２】鍵溝判別器の分解断面図である。
【図３】鍵溝判別器の使用状態の全体斜視図である。
【図４】鍵溝判別器の使用状態の全体斜視図である。
【図５】鍵溝判別器の使用状態の断面図である。
【図６】鍵溝判別器の使用状態の断面図である。
【図７】半田プレートに鍵溝穴が形成された鍵溝判別器の平面図である。
【図８】鍵とその鍵溝パターン及び半田プレートに形成された鍵溝穴の説明図である。
【図９】鍵とその鍵溝パターン及び半田プレートに形成された鍵溝穴の説明図である。
【図１０】鍵とその鍵溝パターン及び半田プレートに形成された鍵溝穴の説明図である。
【図１１】鍵とその鍵溝パターン及び半田プレートに形成された鍵溝穴の説明図である。
【考案を実施するための形態】
【００１６】
以下、本考案の実施形態を図面に基づいて説明する。
【００１７】
図１乃至図７は請求項１乃至請求項５に係る鍵溝判別器の一実施形態を示し、図１に於て、１は平面視矩形状に形成された一枚の交換可能な薄肉の半田プレート、３は該半田プレート１の外形形状に沿った半田プレート収納用の凹部５が上面７の中央に形成された基台で、該基台３は鋼材を用いて直方体形状に形成され、図３及び図５に示すように半田プレート１は、上面７と面一になって凹部５内に収納されるようになっている。
【００１８】
そして、図１，図２及び図５に示すように凹部５の中央には、上方から鍵９が挿入可能な細長いスリット状の鍵挿入孔１１が上面７の長手方向に沿って設けられており、図６に示すように鍵挿入孔９は、その上下方向の略中央上部から基台３の底面１３に亘って横方向に幅広な幅広部１１ａとされて、基台３の薄肉による軽量化が図られている。
【００１９】
また、図１中、１５は基台３の上面７と平面視同一形状に形成された半田プレート保持用の保持プレートで、該保持プレート１５は基台３と同一材料で形成されている。
【００２０】
そして、図１及び図２に示すように保持プレート１５の上面１７の中央には、平面視円形状のテーパ状の凹部１９が形成されると共に、前記鍵挿入孔１１に対応して凹部１９の中央に、スリット状の鍵挿入孔２１が保持プレート１５の長手方向に沿って形成されている。
【００２１】
而して、この鍵挿入孔２１は、前記鍵挿入孔１１よりもやや幅狭に形成されており、後述するように該鍵挿入孔１１から鍵９を下方へ挿入（圧入）する際に、鍵９が回転することなく真っ直ぐに挿入できるようになっている。また、凹部１９をテーパ状に形成することで、鍵挿入孔２１に鍵９が挿入し易くなっている。
【００２２】
更に、図１乃至図３に示すように基台３の上面７には、鍵挿入孔１１を挟んで一対の位置決めピン２３が挿入孔１１の軸線上に突設されると共に、該位置決めピン２３に対応して保持プレート１５側に、各位置決めピン２３が挿入可能なピン挿通孔２５が設けられており、図３乃至図５に示すように位置決めピン２３をピン挿通孔２５に挿入させて保持プレート１５を基台３の上面７に配置させると、該保持プレート１５が凹部５内の半田プレート１を位置決め保持し乍ら基台３と面一になって、鍵挿入孔２１が基台３側の鍵挿入孔１１と対向配置されるようになっている。
【００２３】
その他、図１中、２７は前記凹部５と連通させて基台３の上面７に設けた切欠きで、該切欠き２７を設けることで、凹部５に収納した半田プレート１の取り外しが容易にできるようになっている。
【００２４】
本実施形態に係る鍵溝判別器２９はこのように構成されているから、該鍵溝判別器２９を用いて、鍵屋がエンドユーザから持ち込まれた鍵９から合鍵を作るには、先ず、図１及び図３に示すように基台３の凹部５に未使用の半田プレート１を収納し、次いで、位置決めピン２３をピン挿通孔２５に挿入させて保持プレート１５を基台３の上面７に配置させる。これにより、半田プレート１が保持プレート１５によって確実に位置決め保持されると共に、該半田プレート１を挟んで保持プレート１５側の鍵挿入孔２１と基台３側の鍵挿入孔１１とが上下に対向配置されて、準備が完了する。
【００２５】
そして、この状態で、図４乃至図６に示すように鍵溝判別器２９（保持プレート１５）の上方から鍵挿入孔２１に鍵９を挿入し乍ら、例えば木槌等で鍵９の頭を叩いて半田プレート１，基台３側の鍵挿入孔１１に鍵を挿通（圧入）させればよい。
【００２６】
而して、この作業時に、保持プレート１５によって半田プレート１が確実に位置決め保持され、更に、保持プレート１５が前記位置決めピン２３とピン挿通孔２５とによって確実に位置決め保持されているため、鍵９が貫通する際に半田プレート１が横方向及び上下方向にブレることがなく、而も、基台３と保持プレート１５の鍵挿入孔１１，２１はスリット状に形成され、且つ鍵挿入孔２１は、鍵９を挿入した際に、鍵９が回転することなく真っ直ぐに挿入できるように鍵挿入孔１１よりもやや幅狭に形成されていることも相俟って、保持プレート１に不良な鍵溝穴が形成されてしまうことがない。
【００２７】
そして、半田プレート１は鍵９が貫通可能な柔らかな特性を有し、而も、鍵９を引き抜いた際にも、変形せずに鍵９が貫通した痕跡をそのまま残す特性を有しているため、図５及び図６の状態で鍵９を引き抜き、次いで保持プレート１５を基台３から取り外せば、図７に示すように鍵９の鍵溝３１と一致した鍵溝穴３３が形成された半田プレート１が基台３上に現れる。
【００２８】
従って、前記切欠き２７からピンセット等で半田プレート１を凹部５から取り出した後、鍵溝３１と同一の鍵溝を持つと思われる鍵を店頭の商品から選び出して、これを半田プレート１の鍵溝穴３３に差し込んでみればよく、鍵溝が一致すれば鍵が鍵溝穴３３に挿入できるため、選び出した鍵が正しいものであることが瞬時に判別でき、これを切削して合鍵を作成すればよい。
【００２９】
また、前記鍵溝判別器２９を用いて新たな合鍵を作る際には、半田プレート１を交換して新たなものを使用すればよい。
【００３０】
図８(a)及び図９(a)に示す鍵３５，３７は、夫々、図８(c)及び図９(c)に示すように鍵溝３９，４１のパターンが逆で目視にて判別が困難なものであるが、前記鍵溝判別器２９を用いることで、図８(b)及び図９(b)に示すように半田プレート１に鍵溝３９，４１と一致した鍵溝穴４３，４５が形成されることとなる。
【００３１】
従って、例えば鍵３５の合鍵を作成する際に、鍵３７の鍵溝４１のパターンを有する店頭の鍵を選び出してこれを前記鍵溝穴４３に差し込もうとしても、鍵溝が一致しないために挿入できず、選び出した鍵が正しくないことが瞬時に判別できる。そこで、鍵３５の鍵溝３９のパターンを有する鍵を選び出してこれを鍵溝穴４３に差し込めば、鍵溝が一致するために鍵が鍵溝穴４３に挿入でき、選び出した鍵が正しいものであることが判別できることとなる。
【００３２】
また、図１０(a)及び図１１(a)に示す鍵４７，４９は、夫々、図１０(c)及び図１１(c)に示すように鍵溝５１，５３のパターンが微妙に異なり目視にて判別が困難なものであるが、前記鍵溝判別器２９を用いることで、図１０(b)及び図１１(b)に示すように半田プレート１に鍵溝５１，５３と一致した鍵溝穴５５，５７が形成される。
【００３３】
従って、同様に例えば鍵４７の合鍵を作成する際に、鍵４９の鍵溝５３のパターンを有する鍵を選び出してこれを前記鍵溝穴５５に差し込もうとしても、鍵溝が一致しないために挿入できず、選び出した鍵が正しくないことが瞬時に判別できる。そこで、鍵４７の鍵溝５１のパターンを有する鍵を選び出してこれを鍵溝穴５５に差し込めば、鍵溝が一致するために鍵が鍵溝穴５５に挿入でき、選び出した鍵が正しいものであることが判別できる。
【００３４】
このように、合鍵の作成に当たり、仮に持ち込まれた鍵に鍵メーカの表示や品番の表示がなくても、また、鍵溝のパターンが逆のものであったり微妙に鍵溝のパターンが違っていても、本実施形態に係る鍵溝判別器２９を用いて持ち込まれた鍵の鍵溝穴を半田プレート１に形成することで、熟練者でなくても在庫している店頭の商品から同一の鍵を極めて容易に選別することができ、カタログに記載された鍵溝の断面形状を一つ一つ照らし合わせていく面倒な作業も必要でなくなる。
【００３５】
また、既述したように鍵溝判別器２９は、保持プレート１５によって半田プレート１が確実に位置決め保持され、保持プレート１５が位置決めピン２３とピン挿通孔２５とによって確実に位置決め保持されているため、鍵９が貫通する際に半田プレート１が横方向及び上下方向にブレることがなく、而も、基台３と保持プレート１５の鍵挿入孔１１，２１はスリット状に形成され、且つ鍵挿入孔２１は、鍵９を下方へ挿入した際に、鍵９が回転することなく真っ直ぐに挿入できるように鍵挿入孔１１よりもやや幅狭に形成されていることも相俟って、保持プレート１に不良な鍵溝穴が形成されてしまうことがない。
【００３６】
更に、保持プレート１５の凹部１９はテーパ状に形成されているため、鍵挿入孔２１に鍵９が挿入し易く、また、基台３の上面７に凹部５に連通する切欠き２７が設けられているため、鍵溝穴が形成された凹部５内の半田プレート１の取り外しが容易にできる利点を有する。
【符号の説明】
【００３７】
１  半田プレート
３  基台
５，１９  凹部
９，３５，３７，４７，４９  鍵
１１，２１  鍵挿入孔
１１ａ  幅広部
１５  保持プレート
２３  位置決めピン
２５  ピン挿通孔
２７  切欠き
２９  鍵溝判別器
３１，３９，４１，５１，５３  鍵溝
３３，４３，４５，５５，５７  鍵溝穴
【先行技術文献】
【非特許文献】
【００３８】
【非特許文献１】「ＫＥＹ  ＢＬＡＮＫＳ  カタログ」                                              （２００７年１２月１日再版発行）                                                著作者  株式会社フキ
【図１】
0003150197.tif 000003
【図２】
0003150197.tif 000004
【図３】
0003150197.tif 000005
【図４】
0003150197.tif 000006
【図５】
0003150197.tif 000007
【図６】
0003150197.tif 000008
【図７】
0003150197.tif 000009
【図８】
0003150197.tif 000010
【図９】
0003150197.tif 000011
【図１０】
0003150197.tif 000012
【図１１】
0003150197.tif 000013